(57)【要約】【課題】分析装置に液体などの異物が入り込んだときの誤測定により生じる問題や衛生面における問題を解決する。【解決手段】第１および第２電極を備えた分析用具１を装着するためのコネクタ部２を備え、かつ上記コネクタ部２が、開口部２０と、第１および第２電極に接触させるための第１および第２端子２１，２２と、を有する分析装置Ｘ１において、コネクタ部２に異物が入り込んだことを検知するための異物検知手段を備えた。異物検知手段は、異物により、たとえば機械的変化、電気的変化および化学的変化のうちの少なくとも１つの変化を起こす可変部３Ａを有している。可変部３Ａは、たとえばコネクタ部２に異物が入り込んだ場合に、第１および第２端子２１，２２の間が導通した状態から導通しない状態に変化させるためのものとして構成される。【選択図】  図４
2004205213.tif 000002
【特許請求の範囲】
【請求項１】
少なくとも第１および第２電極を有する分析用具を装着するためのコネクタ部を備え、かつ上記コネクタ部が、開口部と、上記第１および第２電極に接触させるための第１および第２端子と、を有する分析装置であって、
上記コネクタ部に異物が入り込んだことを検知するための異物検知手段を備えたことを特徴とする、異物検知機能を備えた分析装置。
【請求項２】
上記異物検知手段は、異物の付着により、機械的変化、電気的変化および化学的変化のうちの少なくとも１つの変化を起こす可変部を有している、請求項１に記載の異物検知機能を備えた分析装置。
【請求項３】
上記可変部は、上記コネクタ部に異物が入り込んだ場合に、上記第１および第２端子の間が導通していない状態から導通する状態に変化させるためのものである、請求項２に記載の異物検知機能を備えた分析装置。
【請求項４】
上記可変部は、上記コネクタ部に異物が入り込んだ場合に、上記第１および第２端子の間が導通した状態から導通しない状態に変化させるためのものである、請求項２に記載の異物検知機能を備えた分析装置。
【請求項５】
上記可変部は、上記コネクタ部に異物が入り込んだときに色彩が変化するものである、請求項２に記載の異物検知機能を備えた分析装置。
【請求項６】
上記可変部は、上記コネクタ部に異物が入り込んだときに上記開口部の少なくとも一部を塞ぎ、上記コネクタ部に対する上記分析用具の装着を阻害するためのものである、請求項２に記載の異物検知機能を備えた分析装置。
【請求項７】
上記異物検知手段は、上記コネクタ部に異物が入り込んだことを認識するための異物認識部を有している、請求項１ないし６のいずれかに記載の異物検知機能を備えた分析装置。
【請求項８】
上記異物認識部によって上記コネクタ部に異物が入り込んだことが認識された場合に、異物が入り込んだ事実を記憶するための記憶手段を備えている、請求項７に記載の異物検知機能を備えた分析装置。
【請求項９】
装置電源が投入されてから分析動作が終了するまでの間のいずれかのタイミングにおいて、上記記憶手段の記憶に基づいて、上記異物認識部が上記コネクタ部に異物が入り込んだことを認識したか否かを確認するための確認手段を備えている、請求項８に記載の異物検知機能を備えた分析装置。
【請求項１０】
上記異物認識部によって上記コネクタ部に異物が入り込んだことが認識された場合に、異物が入り込んだことを報知するための報知手段を備えている、請求項７ないし９のいずれかに記載の異物検知機能を備えた分析装置。
【請求項１１】
上記異物認識部によって上記コネクタ部に異物が入り込んだことが認識された場合に、分析動作を行わないようにするための制御手段を備えている、請求項７ないし１０のいずれかに記載の異物検知機能を備えた分析装置。
【請求項１２】
上記異物認識部によって上記コネクタ部に異物が入り込んだことが認識された後に装置電源がオフされ、この装置電源のオフ後に装置電源を投入しようとしたときに、装置電源がオンされないようにするための電源投入制御手段を備えている、請求項７ないし１１のいずれかに記載の異物検知機能を備えた分析装置。
【発明の詳細な説明】
【０００１】
【発明の属する技術分野】
本発明は、分析用具を装着して使用し、かつ分析用具に供給された試料液を分析するための分析装置に関する。
【０００２】
【従来の技術】
試料液の分析を行う方法としては、たとえば電気化学的手法を利用したものがある。その一例として、小型の分析装置に対してバイオセンサを装着した後、このバイオセンサに血液を供給することにより、血糖値を自動的に測定するものがある（たとえば特許文献１参照）。この場合、分析装置は、たとえば本願の図１７および図１８に示したように、バイオセンサ９を装着するためのコネクタ部８０を備えたものとして構成される。コネクタ部８０は、開口部８１および板バネとして構成された第１および第２の端子８２，８３を備えたものとして構成される。一方、バイオセンサ９は、たとえば本願の図１７に良く表れているように、反応場を提供するための流路９０と、反応場に対して電圧を印加するための作用極９１および対極９２と、を備えたものとして構成される。作用極９１および対極９２は、分析装置８にバイオセンサ９を装着したときに、第１および第２端子８２，８３に接触するものである。
【０００３】
分析装置８とバイオセンサ９を用いる場合には、バイオセンサ９に血液を供給する際、あるいは消毒液を用いて分析装置８の開口部８１もしくはその近傍を洗浄する際に、開口部８１を介して分析装置８の内部に液体が入り込んでしまうことがある。その場合、分析装置８の端子８２，８３の間がショートし、あるいは端子８２，８３の近傍に電子部品が実装されたプリント配線基板が配置されている場合には、プリント配線基板の配線や電子部品がショートしてしまう可能性がある。とくに、バイオセンサ９の小型化に伴って端子８２，８３の間の距離が小さくなる傾向にあるために端子８２，８３の間のショートが生じ易く、また分析装置８の小型化に伴ってプリント配線基板が開口部８１に近接して配置される傾向にあるために配線や電子部品のショートが生じる可能性が少なからず高くなっている。液体に限らず、開口部８１を介して分析装置８の内部に粉体や埃などの異物が入り込んだ場合にも、端子８２，８３の間、配線、あるいは電子部品のショートが生じ得る。
【０００４】
上述したショートが生じたなら、分析装置８において正確な血糖値の測定が行えなくなる。また、開口部８１やその近傍に血液が付着した場合には、衛生面において問題があるばかりか、付着した血液が次回以降に装着するバイオセンサ９を汚染する虞もある。
【０００５】
端子間のショートを抑制する例としては、分析装置に関するものではないが、端子の周りを撥水領域とする一方で、端子間の領域を親水領域とする方法が考えられている（たとえば特許文献２参照）。しかしながら、撥水領域と親水領域とを組み合わせる方法は、端子が板バネとして構成された分析装置に対して適用できる技術ではないために適用範囲が狭く、また端子の間のショートを事前に防止しようとするものであるために、上述した問題を十分には解決することができない。すなわち、液体の付着が見過ごされてしまう虞があるために、やはり衛生面や汚染の問題があるばかりか、測定誤差の問題が生じうる。
【０００６】
【特許文献１】
特公平８−１０２０８号公報
【特許文献２】
特開平９−７６８３号公報
【０００７】
【発明が解決しようとする課題】
本発明は、このような事情のもとに考えだされたものであって、分析装置に液体などの異物が入り込んだときの誤測定により生じる問題や衛生面における問題を解決することを課題としている。
【０００８】
【発明の開示】
本発明では、上記した課題を解決すべく、次の技術的手段を講じている。すなわち、本発明により提供される分析装置は、少なくとも第１および第２電極を有する分析用具を装着するためのコネクタ部を備え、かつ上記コネクタ部が、開口部と、上記第１および第２電極に接触させるための第１および第２端子と、を有する分析装置であって、上記コネクタ部から異物が入り込んだことを検知するための異物検知手段を備えたことを特徴としている。ここで、異物としては、たとえば液体、粉体および埃が挙げられる。
【０００９】
異物検知手段は、たとえば異物の付着により、機械的変化、電気的変化および化学的変化のうちの少なくとも１つの変化を起こす可変部を有している。機械的変化とは、たとえば導体（たとえば第１および第２端子）の間の物理的切断や連結をいい、電気的変化とは、たとえば導体間の導通・非導通の間の相互変化や抵抗値変化をいい、化学的変化とは、たとえば化学反応などによる色彩や抵抗値の変化をいう。上述した３つの変化は、厳密には区別し難い場合もあり、また２以上の変化を組み合わせて可変部を構成することもできるが、典型的には次に説明する例を挙げることができる。
【００１０】
可変部の第１の例は、コネクタ部に異物が入り込んだ場合に、第１および第２端子の間が導通していない状態から導通する状態に変化させるものである。可変部の第２の例は、コネクタ部に異物が入り込んだ場合に、第１および第２端子とは無関係に設けられた導体の間を、非導通状態から導通状態に変化させるものである。可変部の第３の例は、コネクタ部に異物が入り込んだ場合に、第１および第２端子の間が導通した状態から導通しない状態に変化させるものである。可変部の第４の例は、コネクタ部に異物が入り込んだ場合に、第１および第２端子とは無関係に設けられた導体の間を、導通状態から非導通状態に変化させるものである。可変部の第５の例は、コネクタ部に異物が入り込んだ場合に、第１および第２端子の少なくとも一方の抵抗値が変化するものである。可変部の第６の例は、コネクタ部に異物が入り込んだ場合に、第１および第２端子の間に設けた抵抗体や導体の抵抗値が変化するものである。可変部の第７の例は、コネクタ部に異物が入り込んだ場合に、第１および第２端子とは無関係に設けた抵抗体や導体の抵抗値が変化するものである。可変部の第８の例は、コネクタ部に異物が入り込んだときに色彩が変化するものである。可変部の第９の例は、コネクタ部に異物が入り込んだ場合に、開口部の少なくとも一部を塞ぎ、コネクタ部に対する分析用具の装着を阻害するものである。
【００１１】
異物検知手段は、たとえばコネクタ部に異物が入り込んだことを認識するための異物認識部を有するものとして構成される。この場合、分析装置は、異物認識部によってコネクタ部に異物が入り込んだことが認識されたときに、異物が入り込んだ事実を記憶するための記憶手段を備えたものとして構成するのが好ましい。記憶手段に記憶された情報は、たとえば操作者のマニュアル操作によって確認することができるように構成してもよいし、分析装置において自動的に確認するように構成してもよい。
【００１２】
本発明の分析装置は、たとえば装置電源が投入されてから分析動作が終了するまでの間のいずれかのタイミングにおいて、記憶手段の記憶に基づいて、異物認識部がコネクタ部に異物が入り込んだことを認識したか否かを確認するための確認手段を備えたものとして構成される。ここで、「分析動作が終了」とは、分析に必要な全ての演算が終了した段階、あるいは分析結果をディスプレイに表示したしたときのいずれかをさすものとする。
【００１３】
本発明の分析装置は、たとえば異物認識部によってコネクタ部に異物が入り込んだことが認識された場合に、異物が入り込んだことを報知するための報知手段を備えたものとして構成される。報知手段としては、ＬＣＤなどのディスプレイ、ＬＥＤなどのランプ、あるいは音声発生手段が挙げられる。この報知手段では、たとえば異物認識部においてコネクタ部に異物が入り込んだことが検知された直後に異物検知が報知される。もちろん、異物検知を報知するタイミングは、異物検知直後には限らない。たとえば、異物検知後に装置電源がオフされた場合には、次に装置電源が投入された時や分析用具の装着時に異物検知を報知するようにしてもよい。
【００１４】
本発明の分析装置は、たとえば異物認識部によってコネクタ部に異物が入り込んだことが認識された場合に、分析動作を行わないようにするための制御手段を備えたものとして構成される。分析動作を行わないようにするためには、装置電源をオフにし、あるいは演算に必要なプログラムを実行しないようにすればよい。
【００１５】
本発明の分析装置は、異物認識部によってコネクタ部に異物が入り込んだことが認識された後に装置電源がオフされ、この装置電源のオフ後に装置電源を投入しようとしたときに、装置電源がオンされないようにするための電源投入制御手段を備えたものとして構成してもよい。
【００１６】
【発明の実施の形態】
以下、本発明の好ましい実施の形態について、図面を参照して具体的に説明する。ただし、以下においては、異物としての液体を検知する機能を有する分析装置を例にとって説明するが、本発明は粉体や埃などの他の異物を検知する場合にも適用することができる。
【００１７】
図１ないし図３に示したように、分析装置Ｘ１は、バイオセンサ１を装着して使用するものである。この分析装置Ｘ１は、図３に示したように、コネクタ部２、可変部３Ａ、電流電圧変換アンプ４、分析回路５の他、操作部７０、ＬＣＤ７１、ＬＥＤランプ７２、および電源７３を有している。
【００１８】
コネクタ部２は、バイオセンサ１の端部１ａを保持するためのものであり、開口部２０、第１および第２端子２１，２２を有している。第１および第２端子２１，２２は、バイオセンサ１の目的部位に電圧を印加する際に利用するものであり、図２に良く表れているようにバイオセンサ１の端部１ａを押圧できるように板バネとして構成されている。
【００１９】
可変部３Ａは、液体により、たとえば機械的変化、電気的変化および化学的変化のうちの少なくとも１つの変化を起こすものである。本実施の形態においては、図４に示した可変部３Ａは、コネクタ部２に設けられており、液体が入り込んだ場合に、第１および第２端子２１，２２の間が導通した状態から、導通しない状態に変化させるためのものである。より具体的には、同図に示した可変部３Ａは、吸水性が高く、導電性を有する素材により形成されているとともに、第１および第２端子２１，２２の間を繋ぐようにして配置されている。この構成では、たとえば可変部３Ａが液体を含んだときに可変部３Ａが切断され、第１および第２端子２１，２２間が非導通状態とされる。可変部３Ａは、たとえば導電性を有する紙、糸、布、あるいは吸水性ポリマにより形成され、また液体を含んだときに切断されやすいように、張力を作用させた状態で配置するのが好ましい。
【００２０】
図３に示した電流電圧変換アンプ４は、バイオセンサ１から電流値として得られる情報を、電圧値に変換してから分析回路５に入力するためのものである。
【００２１】
分析回路５は、演算部５０、液体認識部５１、記憶部５２、確認部５３、および制御部５４を有しており、たとえばＣＰＵ、ＲＯＭおよびＲＡＭによって構成されている。
【００２２】
演算部５０は、電流電圧変換アンプ４から出力された情報に基づいて、たとえば試料液中の特定成分の濃度を演算し、あるいは試料液中の特定成分が目的量以上含有されているか否かを判断するためのものである。
【００２３】
液体認識部５１は、可変部３Ａの変化状況に応じて、コネクタ部２に液体が入り込んだか否かを判断するためのものである。この液体認識部５１においては、電流電圧変換アンプ４から出力された情報の変化、つまり電圧値の変化に基づいて可変部３Ａが変化したことが認識される。
【００２４】
記憶部５２は、液体認識部５１がコネクタ部２に液体が入り込んだことを認識したときに、その事実を履歴として記憶し、あるいは測定データを記憶する際にも利用されるものである。もちろん、記憶部５２は、履歴や測定データに限らず、その他の情報を記憶することができる。
【００２５】
確認部５３は、所定のタイミングにおいて、記憶部５２に記憶された情報に基づいて、液体が入り込んだ履歴があるか否かを確認するためのものである。確認部５３における確認のタイミングとしては、▲１▼分析装置Ｘ１に対するバイオセンサ１の装着時、▲２▼分析装置Ｘ１の電源オン時、▲３▼電源オン時からバイオセンサ１に対する試料液の供給が分析装置Ｘ１において確認されるまでの間、▲４▼分析装置Ｘ１における試料液の供給の確認から演算部５０における演算が終了するまでの間、▲５▼演算部５０での演算終了からＬＣＤ７１に演算結果を報知するまでの間、が挙げられる。これらのタイミングのうち、確認部５３においては、少なくとも１つのタイミングにおいて液体が入り込んだ履歴の確認を行えばよく、２以上のタイミングにおいて液体が入り込んだ履歴を確認するようにしてもよい。確認部５３では、コネクタ部２に液体が入り込んだ直後ばかりでなく、記憶部５２に記憶された液体が入り込んだことの履歴を消去しない限りは、前回以前の分析において液体が入り込んだことを確認することができる。もちろん、記憶部５２における記憶内容は、操作者のマニュアル操作によって確認することができるように構成してもよい。
【００２６】
制御部５４は、各部５０〜５３，７０〜７３の動作を制御するためのものであり、たとえば液体認識部５１によって液体が入り込んだことが認識された場合に、その旨をＬＣＤ７１やＬＥＤランプ７２において報知するための制御を行うものである。制御部５４は、液体検知の報知に代えて，あるいはこれに加えて、液体検知直後に装置電源をオフにし、あるいは演算部５０での演算を行わないように制御するようにしてもよい。制御部５４はさらに、液体認識部５１によって液体が入り込んだことが認識された後に装置電源がオフされ、この装置電源のオフ後に装置電源を投入しようとしたときに、装置電源がオンされないように構成してもよい。
【００２７】
操作部７０は、図１に示したように複数の操作ボタン７０ａからなる。各操作ボタン７０ａは、分析装置Ｘ１に対して各種の情報を入力するために使用されるものであり、たとえば装置電源のオン・オフの他、分析開始の合図を送ったり、分析装置Ｘ１の設定を行う際に利用される。ＬＣＤ７１は、分析結果の他、操作手順やエラーである旨を文字、数字あるいは記号により表示するためのものである。ＬＥＤランプ７２は、分析装置Ｘ１の操作状態やエラーである旨を報知するためのものである。つまり、液体認識部５１での認識結果や確認部５３での確認結果は、ＬＣＤ７１あるいはＬＥＤランプ７２において報知することができる。電源７３は、各部を動作する上での電力源となるものである。
【００２８】
図５および図６に示したように、バイオセンサ１は、基板１０に対して、スペーサ１１を介してカバー１２を積層した形態を有しており、上記各要素１０〜１２によって流路１３が形成されたものである。流路１３は、試料液導入口１３ａを介して導入された試料液を、毛細管現象によりカバー１２の穴部１２ａに向けて移動させるとともに、反応場を提供するためのものである。
【００２９】
基板１０には、反応場に対して電圧を印加するための作用極１０Ａおよび対極１０Ｂが形成されている。作用極１０Ａおよび対極１０Ｂの端部１０Ａａ，１０Ｂａの間は、試薬部１４により繋げられている。図２および図３に良く表れているように、作用極１０Ａおよび対極１０Ｂの端部１０Ａｂ，１０Ｂｂは、バイオセンサ１を分析装置Ｘ１のコネクタ部２に装着したときに、分析装置Ｘ１の第１および第２端子２１，２２に接触させられる部分である。図５および図６に示した試薬部１４は、たとえば酸化還元酵素および電子伝達物質を含んだ固体状に形成されており、試料液が供給されたときに溶解するように構成されている。酸化還元酵素や電子伝達物質の種類は、測定対象成分の種類などに応じて選択され、たとえばグルコース濃度を測定する場合には、酸化還元酵素としてグルコースデヒドロゲナーゼやグルコースオキシダーゼが使用され、電子伝達物質としてフェリシアン化カリウムが使用される。
【００３０】
分析装置Ｘ１を用いて試料液の分析を行う場合には、たとえば分析装置Ｘ１に対してバイオセンサ１を装着した後に、バイオセンサ１の試料液導入口１３ａから試料液（典型的には血液や尿）を導入する。そうすれば、バイオセンサ１では、毛細管現象によって流路１３内を試料液が移動し、流路１３内が試料液により満たされる。このとき、試料液によって試薬部１４が溶解し、流路１３内には液相反応系が構築される。一方、分析装置Ｘ１においては、バイオセンサ１の装着によって装置電源が自動的にオンされる。もちろん、使用者のマニュアル操作によって装置電源をオンするようにしてもよい。このとき、液相反応系に対しては、たとえば分析装置Ｘ１の電源７３によって電圧が印加される。この電圧印加によって得られる応答電流は、バイオセンサ１の作用極１０Ａおよびコネクタ部２の第１端子２１を介して電流電圧変換アンプ４に入力される。分析回路５には、電流電圧変換アンプ４において電流から電圧に変換された情報が、たとえば図外のＡＤ変換器によってデジタル信号化されてから入力される。分析回路５では、演算部５０において、応答電流に対応するデジタル信号に基づいて、試料液の分析、たとえば血液中のグルコース濃度の演算が行われる。分析結果は、たとえば分析装置Ｘ１のＬＣＤ７１において表示される。
【００３１】
分析装置Ｘ１においてはさらに、先に説明した分析動作を行っている間、液体認識部５１において分析装置Ｘ１の開口部２０を介して液体が入り込んだこと、つまり可変部３Ａが変化したか否かが判断される。この判断は、たとえば液体認識部５１において電流電圧変換アンプ４から出力された情報（電圧値）を監視し、得られる電圧値が急激に変化するか否かにより行われる。すなわち、第１および第２端子２１，２２の間が導通状態から非導通状態に変化すれば、観測される電圧値が急激に変化するため、その変化があったときに、液体認識部５１においてコネクタ部２に水分が入り込んだと認識される。
【００３２】
一方、確認部５３においては、所定のタイミングで記憶部５２に記憶された情報に基づいて、コネクタ部２に液体が入り込んだか否か、および今回の分析以前に液体が入り込んだことがあるか否かが確認される。確認部５３における確認のタイミングは、上述した通りである。
【００３３】
確認部５３において、今回の分析において液体が入り込んだことが検知された場合には、たとえば制御部５４による制御に基づいて、▲１▼ＬＣＤやＬＥＤランプにおける液体検知あるいは液体検知履歴の報知、▲２▼演算部５０における演算の中止、▲３▼装置電源のオフ動作、のうちの少なくとも１つの動作が行われる。もちろん、記憶部５２の履歴を確認することにより、今回の分析以前に液体が入り込んだことが確認された場合に、制御部５４において上述した▲１▼〜▲３▼のいずれかの動作を行うようにしてもよいし、また装置電源のオフ状態を維持するようにしてもよい。このような制御部５４の制御により、コネクタ部２に液体が入り込んだことにより誤測定が生じている可能性が操作者に知らされ、あるいは誤測定されることを未然に防ぐことができる。
【００３４】
可変部の構成は、本実施の形態において説明したものには限定されず、たとえば図７ないし図９に示したように、第１および第２端子２１，２２の間が導通していない状態から、導通する状態に変化するように構成されたものであってもよい。
【００３５】
図７(ａ)に示した可変部３Ｂは、吸水性が高く、絶縁性を有する素材により形成されているとともに、第１および第２端子２１，２２の間を繋ぐように配置されている。この構成では、図７（ｂ）に示したように可変部３Ｂが液体(図中のクロスハッチング部分)を含んだときに可変部３Ｂが導電性を帯び、第１および第２端子２１，２２の間が導通する。可変部３Ｂは、たとえば紙、糸、あるいは布により形成される。
【００３６】
図８(ａ)に示した可変部３Ｃは、吸水性が高く、吸水時に膨張する素材により形成されているとともに、自然状態では第１および第２端子２１，２２の間を繋がないように配置されている。この構成では、図８（ｂ）に示したように、可変部３Ｃが液体を含んだときに可変部３Ｃが膨張して第１および第２端子２１，２２間が導通状態とされる。可変部３Ｃは、たとえば吸水性ポリマにより形成される。
【００３７】
図９(ａ)および（ｂ）に示した可変部３Ｄは、第１および第２端子２１，２２の間を繋ぐ溝として形成されている。この構成では、図９(ｃ)に示したように、溝３Ｄが液体(図中のクロスハッチング部分)により満たされたときに第１および第２端子２１，２２の間が導通状態とされる。
【００３８】
図１０には、本発明の第２の実施の形態に係る分析装置を示した。同図においては、先に説明した分析装置Ｘ１(図３参照)と同一の要素について同一の符号を付しており、重複説明は省略するものとする。
【００３９】
分析装置Ｘ２は、第１および第２端子２１，２２とは無関係に可変部３Ｅを設けたものであり、可変部３Ｅからの出力が第１および第２端子２１，２２とは別個に分析回路５に入力されるように構成されている。この可変部３Ｅは、電流電圧変換アンプ４Ｅを介して分析回路５に繋げられており、図１１(ａ)に示したように、電流電圧変換アンプ４Ｅに繋がれた第１導体部３１Ｅと、グランド接続された第２導体部３２Ｅ(図１０参照)と、含水膨張部３３Ｅを介して支持体３４Ｅに支持された接続部３５Ｅと、を有している。含水膨張部３３Ｅは、たとえば吸水性ポリマによって構成される。この可変部３Ｅでは、図１１（ｂ）に示したように含水膨張部３３Ｅが液体を含んだときに膨張して接続部３５Ｅが下動し、第１および第２導体部３１Ｅ，３２Ｅの間が接続部３５Ｅによって接続される。したがって、分析回路５の液体認識部５１(図１０参照)において、第１および第２導体部３１Ｅ，３２Ｅの間の導通・非導通を監視することにより、液体が入り込んだことを検知することができる。
【００４０】
可変部としては、図１２に示した構成を採用することもできる。図１２(ａ)に示したように、可変部３Ｆは、先に説明した可変部３Ｅ(図１１(ａ)および（ｂ）参照)と同様に第１および第２導体部３１Ｆ，３２Ｆ、接続部３５Ｆ、および含水膨張部３３Ｆを有している。含水膨張部３３Ｆは、接続部３５Ｆの下面に接続され、かつ第１および第２導体部３１Ｆ，３２Ｆの間に配置されており、この含水膨張部３３Ｆの自然状態では、接続部３５Ｆが第１および第２導体部３１Ｆ，３２Ｆと接触している。一方、含水膨張部３３Ｆが液体を含んだ場合には、含水膨張部３３Ｆが膨張して接続部３５Ｆが上動し、第１および第２導体部３１Ｆ，３２Ｆの間が非導通状態とされる。したがって、可変部３Ｆを採用した場合にも、分析回路５の液体認識部５１において、第１および第２導体部３１Ｆ，３２Ｆの間の導通・非導通を監視することにより、液体が入り込んだことを検知することができる。
【００４１】
可変部としてはさらに、図１３、図１４（ａ）および図１４（ｂ）に示した構成を採用することもできる。これらの図に示した可変部３Ｇは、分析装置Ｘ２の第１および第２端子２１，２２に対面し、かつ一定間隔隔てて配置された第１および第２導体部３Ｇａ，３Ｇｂを有している。この可変部３Ｇでは、分析回路５に対しては、その出力が第１および第２端子２１，２２とは別個に入力されるように構成されている。
【００４２】
図１４（ｃ）に示したように、第１および第２導体部３Ｇａ，３Ｇｂの間は、液体（図面においてクロスハッチィングを施した部分）が入り込んだときに液絡するように構成されており、液絡したときの出力が分析回路５に入力される。したがって、可変部３Ｇを採用した場合にも、分析回路５の液体認識部５１において、第１および第２導体部３Ｇａ，３Ｇｂの間の導通・非導通を監視することにより、液体が入り込んだことを検知することができる。
【００４３】
図１１ないし図１４に示した構成の可変部３Ｅ，３Ｆ，３Ｇは、第１の実施の形態に係る分析装置Ｘ１においても採用することができ、また分析装置Ｘ１において採用されていた可変部３Ａ〜３Ｄを第２の実施の形態に係る分析装置Ｘ２に採用してもよい。
【００４４】
図１５には、本発明の第３の実施の形態に係る分析装置Ｘ３を示した。同図に示した分析装置Ｘ３では、可変部３Ｈが、液体が付着したときに色彩が変化するものとして構成されている。可変部３Ｈは、分析装置Ｘ３の内部から開口部２０を介して分析装置Ｘ３の外部に至っている。この可変部３Ｈは、たとえば開口部２０から入り込む可能性のある液体に含まれるいずれかの成分と反応し、発色する試薬を含んだものとして構成される。試薬は、紙や布などの吸水性の高い材料により形成された担体に保持させるのが好ましい。分析装置Ｘ３にはさらに、可変部３Ｈでの色彩の変化を確認するための窓部３６Ｈが形成されている。
【００４５】
この構成では、窓部３６Ｈを介して確認される色彩の変化により、コネクタ部２に液体が入り込んだことを操作者が確認することができる。もちろん、本実施の形態のように可変部３Ｈが分析装置Ｘ３の外部にまで至っている場合には、可変部３Ｈの色彩の変化を直接確認することもできる。その場合には、窓部３６Ｈを省略してもよい。可変部３６Ｈにおける色彩の変化は、分析装置Ｘ３に光学的検知機構を設けておき、この光学的検知機構において検知するようにしてもよい。
【００４６】
図１６には、本発明の第４の実施の形態に係る分析装置Ｘ４を示した。同図に示した分析装置Ｘ４では、可変部３Ｉが液体を含んだときに膨張するものとして構成され、開口部２０を臨むようにして配置されている。この構成では、可変部３Ｉに液体が付着した場合には、図に仮想線で示したように可変部３Ｉが膨張し、開口部２０の少なくとも一部が塞がれる。その結果、可変部３Ｉの膨張後には分析装置Ｘ４にバイオセンサ１を装着することができなくなるため、液体が入り込んだ可能性のある状態で試料液を分析が行われてしまうことを抑制することができる。
【図面の簡単な説明】
【図１】本発明の第１の実施の形態に係る分析装置にバイオセンサを装着した状態の一例を示す全体斜視図である。
【図２】図１のII−II線に沿う断面図である。
【図３】図１に示した状態を、バイオセンサについては平面図で、分析装置については回路図およびブロック図で示したものある。
【図４】分析装置の可変部を示す要部断面図である。
【図５】図１ないし図３に示したバイオセンサの分解斜視図である。
【図６】図５に示したバイオセンサの断面図である
【図７】可変部の他の例を示す要部断面図である。
【図８】可変部の他の例を示す要部断面図である。
【図９】可変部の他の例を示す要部断面図である。
【図１０】本発明の第２の実施の形態に係る分析装置にバイオセンサを装着した状態を、バイオセンサについては平面図で、分析装置については回路図およびブロック図で示したものある。
【図１１】図１０に示した分析装置における可変部の例を示す要部断面図である。
【図１２】可変部の他の例を示す要部断面図である。
【図１３】本可変部のさらに他の例を説明するためのものであり、分析装置にバイオセンサを装着した状態を、バイオセンサについては平面図で、分析装置については回路図およびブロック図で示したものある。
【図１４】（ａ）は可変部のさらに他の例を示す要部断面図、（ｂ）は（ａ）のＸIV−ＸIV線に沿う断面図であり、（ｃ）はコネクタ部に液体が入り込んだ状態を示す（ｂ）に相当する断面図である。
【図１５】本発明の第３の実施の形態に係る分析装置を示す要部断面図である。
【図１６】本発明の第４の実施の形態に係る分析装置を示す要部断面図である。
【図１７】従来の分析装置にバイオセンサを装着した状態を示す要部断面図である。
【図１８】従来の分析装置にバイオセンサを装着した状態を示す要部断面図である。
【符号の説明】
Ｘ１〜Ｘ４  分析装置
１  バイオセンサ(分析用具)
２  コネクタ部
２０  開口部(コネクタ部の)
２１  第１端子
２２  第２端子
３Ａ〜３Ｉ  可変部(異物検知手段を構成するもの)
５１  液体認識部(異物検知手段を構成するもの)
５２  記憶部(記憶手段）
５３  確認部(確認手段)
５４  制御部(制御手段、電源投入制御手段)
７１  ＬＣＤ(報知手段を構成しうるもの)
７２  ＬＥＤランプ(報知手段を構成しうるもの)
【図１】
2004205213.tif 000003
【図２】
2004205213.tif 000004
【図３】
2004205213.tif 000005
【図４】
2004205213.tif 000006
【図５】
2004205213.tif 000007
【図６】
2004205213.tif 000008
【図７】
2004205213.tif 000009
【図８】
2004205213.tif 000010
【図９】
2004205213.tif 000011
【図１０】
2004205213.tif 000012
【図１１】
2004205213.tif 000013
【図１２】
2004205213.tif 000014
【図１３】
2004205213.tif 000015
【図１４】
2004205213.tif 000016
【図１５】
2004205213.tif 000017
【図１６】
2004205213.tif 000018
【図１７】
2004205213.tif 000019
【図１８】
2004205213.tif 000020